(57)【特許請求の範囲】
【請求項１】
情報が記録されるデータブロックと制御用アドレスが記録されたアドレスマークとを交互に配置して成る複数のトラックによって構成され、かつ、これらのトラックが走行方向と平行かつ並列に配列された情報記録媒体において、前記アドレスマークは、アブソリュートコードを構成する符号ビットの所定の配列によって作成され、かつ、走行方向に直交する方向に一定の配列パターンを備えており、前記配列パターンは、各トラックに沿って読み取る符号列が走行方向に直交する方向において変化する部分と変化しない部分とを一定ピッチで繰り返すパターンであって、しかも、複数の情報読取手段が備えられたヘッドによって読み取った場合、一または一組の情報読取手段で読み取って得られる符号情報が走行方向に直交する方向において変化する際、他または他の組の情報読取手段で読み取って得られる符号情報が走行方向に直交する方向において変化しない様な配列パターンになされていることを特徴とする情報記録媒体。
【請求項２】
請求項１に記載の情報記録媒体であって、アドレスマークのアブソリュートコードは、グレーコード及び識別コードを構成する符号ビットの配列によって作成され、前記グレーコードの走行方向に直交する方向の配列パターンは、各トラックに沿って読み取る符号列が走行方向に直交する方向において変化する部分と変化しない部分とを一定のピッチで交互に繰り返すパターンに設定され、前記識別コードは、各トラックに沿って読み取る前記グレーコードが走行方向に直交する方向において変化する部分のコードであるか否かを識別する符号によって構成されている情報記録媒体。
【請求項３】
請求項２に記載の情報記録媒体に対して情報を記録または再生する情報記録再生装置であって、一記録面をトラッキングするヘッドは、走行方向に直交する方向に配置された少なくとも２つの情報読取手段を備え、これら情報読取手段の配置間隔が、走行方向に直交する方向において配列パターンの変化する部分と変化しない部分との繰返しピッチの奇数倍の間隔に設定されていることを特徴とする情報記録・再生装置。
【発明の詳細な説明】
【０００１】
【産業上の利用分野】
本発明は、情報記録媒体および情報記録・再生装置方法に関するものであり、詳しくは、アブソリュートコードの特定の配列をアドレスマークとして使用することにより、アドレスマークの記録に用いられる媒体面積を縮小でき、情報記録容量を増大し得る情報記録媒体、ならびに、当該情報記録媒体における情報の記録または再生に使用される情報記録・再生装置に関するものである。
【０００２】
【従来の技術】
コンピュータシステムに使用されるハードディスク等の情報記録媒体においては、記録容量を向上し、一層大量の情報を格納するするため、円周方向の記録密度の拡大と共に、狭い情報記録トラックを高い密度で形成することによる半径方向の記録密度の向上が求められている。一方、斯かる情報記録媒体において、トラック密度を高めた場合には、振動や熱膨張などによるヘッドと媒体の相対位置の誤差が問題となる。
【０００３】
そこで、高密度の情報記録媒体においては、媒体上に位置信号を予め記録し、ヘッドでこの信号を読み取り、そして、常に情報記録トラック上にヘッドを位置決めする様にトラッキング制御する。トラッキング制御用の位置信号としては、サーボバースト信号とアドレスマークが使用され、これらの信号は、各トラックに亘って連続するデータブロック間の隙間に記録される、すなわち、媒体上にヘッドの相対走行方向に沿って間欠的に配置される。
【０００４】
上記サーボバースト信号は、トラックの中心にヘッドを正確に位置決めするために用いられる信号であり、アドレスマークは、ヘッドが何番目のトラック上に位置するかの情報を与える信号である。また、アドレスマークには、ヘッドが通過中、一回転内のどのサーボ信号記録部に相当するかを示すセクター番号が含まれる場合もある。
【０００５】
【発明が解決しようとする課題】
近年、トラック密度の増加により、トラッキングサーボにおいては２ｋＨｚ程度の応答周波数が要求され、これに伴い、誤差信号においても２０ｋＨｚ程度の高い周波数が要求される。このため、必要なサーボ信号記録部は、一回転あたり１００を越え、また、トラック数の増大に伴い、アドレスマークのビット数も増加している。その結果、制御信号記録部の面積が拡大し、情報記録に使用可能な面積が制限されるという問題が生じている。
【０００６】
本発明は、上記の実情に鑑みなされたものであり、その目的は、アブソリュートコードの特定の配列をアドレスマークとして使用することにより、アドレスマークの記録に用いられる媒体面積を縮小でき、情報記録容量を増大し得る情報記録媒体、ならびに、当該情報記録媒体における情報の記録または再生に使用される情報記録・再生装置を提供することにある。
【０００７】
【課題を解決するための手段】
上記の課題を解決するため、本発明の情報記録媒体は、情報が記録されるデータブロックと制御用アドレスが記録されたアドレスマークとを交互に配置して成る複数のトラックによって構成され、かつ、これらのトラックが走行方向と平行かつ並列に配列された情報記録媒体において、前記アドレスマークは、アブソリュートコードを構成する符号ビットの所定の配列によって作成され、かつ、走行方向に直交する方向に一定の配列パターンを備えており、前記配列パターンは、各トラックに沿って読み取る符号列が走行方向に直交する方向において変化する部分と変化しない部分とを一定ピッチで繰り返すパターンであって、しかも、複数の情報読取手段が備えられたヘッドによって読み取った場合、一または一組の情報読取手段で読み取って得られる符号情報が走行方向に直交する方向において変化する際、他または他の組の情報読取手段で読み取って得られる符号情報が走行方向に直交する方向において変化しない様な配列パターンになされていることを特徴とする。
【０００８】
すなわち、上記の情報記録媒体においては、ヘッドに備えられた複数の情報読取手段を同時に利用してアドレスマークが読み取られる。その際、アドレスマークを構成するアブソリュートコードに設定された特定の配列パターンは、情報読取手段の各出力情報を組み合わせることにより、少ない符号ビットによるアドレスの特定を可能にする。
【０００９】
また、上記の情報記録媒体の好ましい態様において、アドレスマークのアブソリュートコードは、グレーコード及び識別コードを構成する符号ビットの配列によって作成され、前記グレーコードの走行方向に直交する方向の配列パターンは、各トラックに沿って読み取る符号列が走行方向に直交する方向において変化する部分と変化しない部分とを一定のピッチで交互に繰り返すパターンに設定され、前記識別コードは、各トラックに沿って読み取る前記グレーコードが走行方向に直交する方向において変化する部分のコードであるか否かを識別する符号によって構成されている。
【００１０】
すなわち、上記の情報記録媒体においてアドレスマークを読み取った場合、変化する部分においてグレーコードは１ビットずつ変化し、また、識別コードは、グレーコードが変化する部分のコードであるか否かを特定するため、これらグレーコードと識別コードの組合せにより、読取エラーを防止でき、一層確実にアドレスを特定できる。
【００１１】
また、本発明の情報記録・再生装置は、２つの情報読取手段によってアドレスマークが読み取られる上記の情報記録媒体に対して情報を記録または再生する情報記録再生装置であって、一記録面をトラッキングするヘッドは、走行方向に直交する方向に配置された少なくとも２つの情報読取手段を備え、これら情報読取手段の配置間隔が、走行方向に直交する方向において配列パターンの変化する部分と変化しない部分との繰返しピッチの奇数倍の間隔に設定されていることを特徴とし、前記各情報読取手段は、トラッキングにおいて同時に異なるアドレスマークの符号ビットを読み出す。
【００１２】
【発明の実施の形態】
本発明の一実施形態を図面に基づいて説明する。図１は、本発明に係る情報記録媒体の主要部を示す平面的な模式図であり、データブロック間のアドレスマークの構成および各トラックに亘るアドレスマークの配列パターンの一例を示す図である。図２は、図１におけるアドレスマークに使用されるコードの原理ならびにマルチチャンネルのヘッドによって得られる符号情報を単純化して示す模式的な配列図である。図３は、図２におけるのと同様のアドレスマーク及び他の態様のヘッドによって得られる符号情報を示す模式的な配列図である。図４は、２つのヘッドギャップが設けられた記録・再生ヘッドの一例を示す斜視図である。
【００１３】
本発明の情報記録媒体は、図１に示す様に、基本的なフォーマットは従来の情報記録媒体と略同様であり、情報が記録されるデータブロック（１）と制御用アドレスが記録されたアドレスマーク（２）とを交互に配置して成る複数のトラック（図中、符号（  Ｉ  〜ＶＩＩＩ）のラインでトラックを例示する。）によって構成されており、かつ、これらのトラックは、媒体の走行方向（図１中に符号（ｖ）の矢印で示す方向）と平行かつ並列に配列されている。また、走行方向に直交する方向に連続する各トラック間の間隙には、ヘッド（４）を位置決めするための制御信号としてのサーボバースト信号の記録部（３）が配置される。
【００１４】
本発明の情報記録媒体は、複数のヘッドギャップ（５）（情報読取手段）を有する所謂マルチチャンネルのヘッド（４）によってシークされる媒体である。例えば、ヘッド（４）は、図４に示す様に、走行方向に直交する方向に沿って並列配置された２つのヘッドギャップ（５ａ、５ｂ）を備えている。図４に示すヘッド（４）は、上面が媒体側の面である。一般的に、記録再生ヘッドには、一方のヘッドギャップに不良があった場合に他方のヘッドギャップを使用し得る様に、予め一対のヘッドギャップが製造時に設けられている。本発明は、上記の様に作製されたヘッド（４）の２つのヘッドギャップ（５ａ、５ｂ）を有効に利用するものである。
【００１５】
図１に示す様に、各トラックにおいて間欠的に設けられるアドレスマーク（２）は、アブソリュートコードを構成する符号ビットの所定の配列によって作成される。上記アブソリュートコードにより、トラック番号やセクター番号に関する情報を記録できる。そして、上記の様なマルチチャンネルのヘッドを利用し且つ少ない符号ビットによってアドレスを特定する目的から、上記アドレスマーク（２）は、走行方向に直交する方向に一定の配列パターンを備えている。
【００１６】
上記の配列パターンは、各トラックに沿って読み取る符号列が走行方向に直交する方向において変化する部分と変化しない部分とを一定ピッチ（Ｇ）で繰り返すパターンである。しかも、上記の配列パターンは、マルチチャンネルのヘッド（４）によって読み取った場合、一のヘッドギャップ（５ａ）で読み取って得られる符号情報が走行方向に直交する方向において変化する際、他のヘッドギャップ（５ｂ）で読み取って得られる符号情報が走行方向に直交する方向において変化しない様な配列パターンに設定される。
【００１７】
なお、配列パターンにおいて「変化する部分」とは、ヘッド（４）の何れかの方向への移動に伴って符号列に変化がある領域を言う。符号列が変化する領域の両端の符号列では、一方向の移動のみで符号の変化が生じるため、例えば、後述の様にトラックピッチ４本分で設定された変化領域においては、ヘッド（４）の移動による実際の符号変化の回数は３回となる。図中、ヘッド（４）の移動方向を両方向の矢印で示す。
【００１８】
本発明の情報記録媒体をより具体的に説明すると、図４に示す様な２チャンネルのヘッド（４）に好適な情報記録媒体において、アドレスマーク（２）のアブソリュートコードは、図１に示す様に、グレーコード（ＧＣ）及び識別コード（ＩＤ）を構成する符号ビットの配列によって作成される。説明上、最も単純化して示すと、例えば、トラックに沿ったグレーコード（ＧＣ）は、少なくとも２ビットの符号ビットによって作成される。
【００１９】
図１に示すアドレスマーク（２）においては、トラック（  Ｉ  〜ＩＶ）のグレーコード（ＧＣ）として、各々、００，０１，１１，１０の２進符号が書き込まれており、これらを読み取った場合、それぞれに０から３までの４種類の数値情報を出力する様に構成されている。斯かるグレーコード（ＧＣ）の使用により、走行方向に直交する方向にヘッド（４）を移動させた際、移動に伴う符号の変化が単一の符号ビットに限られるため、符号情報の安定した出力が得られる。
【００２０】
更に、グレーコード（ＧＣ）の走行方向に直交する方向の配列パターンは、各トラックに沿って読み取る符号列が走行方向に直交する方向において変化する部分と変化しない部分とを一定のピッチ（Ｇ）で交互に繰り返すパターンに設定される。具体的には、単純化された例における上記グレーコード（ＧＣ）の配列パターンは、走行方向に直交する方向において変化する部分と変化しない部分とが４本のトラックピッチごとに繰り返すパターンに設定される。
【００２１】
例えば、図１に示す情報記録媒体においては、上記の様に、最初のピッチ（Ｇ）の領域に相当するトラック（  Ｉ  〜ＩＶ）に対し、グレーコード（ＧＣ）として、各々、００，０１，１１，１０の符号が書き込まれており、また、次のピッチ（Ｇ）の領域に相当するトラック（Ｖ〜ＶＩＩＩ）に対し、各々、１１の符号が書き込まれている。
【００２２】
識別コード（ＩＤ）は、各トラックに沿って読み取るグレーコード（ＧＣ）が走行方向に直交する方向において変化する部分のコードであるか否かを識別する符号によって構成される。すなわち、上記の様な単純化された一例において、識別コード（ＩＤ）は、少なくとも１ビットの符号ビットによって作成される。
【００２３】
例えば、図１に示す媒体においては、最初のピッチ（Ｇ）の領域に相当するトラック（  Ｉ  〜ＩＶ）にける識別コード（ＩＤ）として、一方のヘッドギャップ（５ｂ）で読み取った際、グレーコード（ＧＣ）が変化する部分であることを示す例えば符号０が書き込まれている。そして、次のピッチ（Ｇ）の領域に相当するトラック（Ｖ〜ＶＩＩＩ）にける識別コード（ＩＤ）として、グレーコード（ＧＣ）が変化しない部分であることを示す符号１が書き込まれている。
【００２４】
本発明の情報記録媒体は、上記の様に、マルチチャンネルのヘッドによって記録または再生される。その場合、ヘッドの情報読取手段相互の間隔は、アドレスマーク（２）の符号列の変化、無変化が繰り返される間隔の１，３，５…等、奇数倍に設定される。すなわち、上述の例の２チャンネルのヘッド（４）において、２つのヘッドギャップ（５ａ，５ｂ）は、走行方向に直交する方向にトラックピッチの４倍に等しい間隔（Ｐ）で配置される。
【００２５】
上述の様に、媒体上のアドレスマーク（２）は、通常、図１に示す様に２進符号で記録されるが、これを上記ヘッド（４）によって符号情報として読み出した場合、図２の様に表すことが出来る。図２において、アドレスマークの欄には、媒体上のアドレスマーク（２）の構成例が便宜的に０〜３の数値で示されており、出力情報の欄には、ヘッドギャップ（５ａ）（チャンネルＡ）とヘッドギャップ（５ｂ）（チャンネルＢ）によって各読み取って得られる符号情報が示されている。
【００２６】
図２に例示するアドレスマーク（２）の構成においては、ヘッドギャップ（５ａ）（チャンネルＡ）の出力情報が媒体上の記録符号に一致する様になされている。そして、図２に示す通り、アドレスマーク（２）の配列によれば、チャンネルＡ及びＢの出力の組合せは１回づつ重複せずに現れ、しかも、ヘッド（４）の移動によって変化の生じる符号ビットは何れかの１ビットのみである。
【００２７】
また、図３は、図１及び図２に示す構成のアドレスマーク（２）を他の態様のヘッド（４）によって読み出した場合の出力例を示している。図３に示すヘッド（４）は、２つのヘッドギャップ（５ａ，５ｂ）の間隔（Ｐ）が配列パターンの繰返しピッチ（Ｇ）、すなわち、トラックピッチの１２倍に設定されたヘッドである。図３の例においても、図２の態様と同様に、チャンネルＡ及びＢの出力の組合せは１回づつ重複せずに現れ、しかも、ヘッド（４）の移動によって変化の生じる符号ビットは何れかの１ビットのみとなる。
【００２８】
すなわち、本発明においては、ヘッド（４）に備えられた複数のヘッドギャップ（５ａ，５ｂ）を同時に利用すると共に、アドレスマークを構成するアブソリュートコードに対し、符号列が走行方向に直交する方向において変化する部分と変化しない部分とを一定ピッチ（Ｇ）で繰り返す配列パターンであって、しかも、一のヘッドギャップ（５ａ）で読み取って得られる符号情報が走行方向に直交する方向において変化する際、他のヘッドギャップ（５ｂ）で読み取って得られる符号情報が走行方向に直交する方向において変化しない様な配列パターンを設けているため、ヘッドギャップ（５ａ，５ｂ）の出力情報を組み合わせることにより、従来よりも少ない符号ビットでアドレスを特定できる。しかも、アブソリュートコードににおいて、より組織的なコード形成が可能である。
【００２９】
特に、アドレスマーク（２）のアブソリュートコードが上記の様なグレーコード（ＧＣ）と識別コード（ＩＤ）で構成されている場合には、変化する部分においてグレーコード（ＧＣ）が１ビットずつ変化し、読み取るグレーコード（ＧＣ）が変化する領域のコードであるか否かを識別コード（ＩＤ）によって特定するため、これらグレーコード（ＧＣ）と識別コード（ＩＤ）の組合せにより、読取エラーを防止でき、従来よりも少ない符号ビットで一層確実にアドレスを特定できる。従って、本発明の情報記録媒体においては、制御信号としてのアドレスマーク（２）の記録面積を縮小でき、情報記録に用いるデータブロック（１）の面積を拡大することが出来る。
【００３０】
また、本発明の情報記録・再生装置は、上記の情報記録媒体に対して情報を記録または再生する情報記録・再生装置であり、図１及び図２に示す様に、一記録面をトラッキングするヘッド（４）は、走行方向に直交する方向に配置された少なくとも２つのヘッドギャップ（５ａ，５ｂ）（情報読取手段）を備え、
これらヘッドギャップ（５ａ，５ｂ）の配置間隔が、走行方向に直交する方向において配列パターンの変化する部分と変化しない部分との繰返しピッチの奇数倍の間隔に設定される。図１に示す例においては、配置間隔がトラックピッチの４Ｋ倍（但し、Ｋは奇数）に設定される。斯かる情報記録・再生装置は、トラッキングにおいて各ヘッドギャップ（５ａ，５ｂ）によって同時に異なるアドレスマーク（２）を読み出すことにより、少ない符号ビットでアドレスを特定できる。
【００３１】
なお、本発明においては、３つ以上の情報読取手段が備えられたヘッドを適用することも出来る。３つの情報読取手段が備えられたヘッドによってシークする場合、情報記録媒体のアドレスマークとしては、１つ（又は２つ）の情報読取手段で読み取って得られる符号情報が走行方向に直交する方向において変化する際、他の２つ（又は１つ）の情報読取手段で読み取って得られる符号情報が走行方向に直交する方向において変化しない様な配列パターンのアブソリュートコードが使用される。
【００３２】
また、４つの情報読取手段が備えられたヘッドによってシークする場合、情報読取手段は、各２つから成る２組として設定され、情報記録媒体のアドレスマークとしては、一の組の情報読取手段で読み取って得られる符号情報が走行方向に直交する方向において変化する際、他の組の情報読取手段で読み取って得られる符号情報が走行方向に直交する方向において変化しない様な配列パターンであって、しかも、各組においては、一方の情報読取手段で読み取って得られる符号情報が走行方向に直交する方向において変化する際、他方の情報読取手段で読み取って得られる符号情報が走行方向に直交する方向において変化しない様な配列パターンのアブソリュートコードが使用される。
【００３３】
【発明の効果】
以上説明した様に、本発明によれば、ヘッドの複数の情報読取手段を同時に利用すると共に、アドレスマークを構成するアブソリュートコードに対し、特定の配列パターンを設けているため、各情報読取手の出力情報を組み合わせることにより、従来よりも少ない符号ビットでアドレスを特定できる。その結果、情報記録媒体における制御信号の記録面積を縮小でき、情報記録に用いる面積を拡大することが出来る。
【００３４】
特に、アブソリュートコードがグレーコードと識別コードで構成されている場合には、変化する部分においてグレーコードが１ビットずつ変化し、グレーコードが変化する領域のコードであるか否かを識別コードによって特定するため、これらのコードの組合せにより、読取エラーを防止でき、一層確実にアドレスを特定できる。従って、本発明は、より多くのサーボ信号記録が要求される高密度情報記録媒体に対して大きな効用を発揮する。
【図面の簡単な説明】
【図１】本発明に係る情報記録媒体の主要部を示す平面的な模式図であり、データブロック間のアドレスマークの構成および各トラックに亘るアドレスマークの配列パターンの一例を示す図である。
【図２】図１におけるアドレスマークに使用されるコードの原理およびマルチチャンネルのヘッドによって得られる符号情報を単純化して示す模式的な配列図である。
【図３】図２におけるのと同様のアドレスマーク及び他の態様のヘッドによって得られる符号情報を示す模式的な配列図である。
【図４】２つのヘッドギャップが設けられた記録・再生ヘッドの一例を示す斜視図である。
【符号の説明】
１  ：データブロック
２  ：アドレスマーク
３  ：サーボバースト信号記録部
４  ：ヘッド
５  ：ヘッドキャップ（情報読取手段）
Ｇ  ：配列パターンの繰返しピッチ
ＧＣ：グレーコード
ＩＤ：識別コード
Ｐ  ：情報読取手段の配置間隔
【図１】
0003606746.tif 000002
【図２】
0003606746.tif 000003
【図３】
0003606746.tif 000004
【図４】
0003606746.tif 000005